(57)【特許請求の範囲】
【請求項１】
底枠の少なくとも一対の辺に沿って側枠を立設し、縦枠に複数の受け部材を回動自在に取付け、一対の側枠にそれぞれ上記縦枠を着脱自在に取付けて、回動自在な受け部材を水平姿勢と側枠に沿う略垂直姿勢とが選択できるように一対の側枠の対向面に配置すると共に受け部材を水平姿勢にした状態を保持するための水平姿勢保持手段を設けて成ることを特徴とする搬送用梱包装置。
【発明の詳細な説明】
【０００１】
【発明の属する技術分野】
本発明は、収納物を相互に独立した状態で保持することができる搬送用梱包装置に関するものである。
【０００２】
【従来の技術】
従来から複数の収納物を収納容器に入れて搬送することが行われている。例えば、工場あるいは搬送センターにおいて収納容器内に同梱する複数の収納物を収納容器の上開口から一つずつ中に入れ、下段の収納物の上に上段の収納物を重ねて収納するようにしている。また、収納物を取り出した空の収納容器は再び、収納のために利用し、何度でも繰り返し使用するようになっている。
【０００３】
上記のような従来例においては、工場あるいは搬送センターにおいて収納容器内に収納物を入れるに当たって、収納容器内において収納物同士を重ねて収納するため、収納物同士が直接接触して傷付かないように段ボールにより各収納物を個別に梱包した状態で収納容器内において重ねて収納するようになっている。
【０００４】
ところが、収納物を取り出した後は、収納物を個別に梱包していた段ボールは不要となり、廃棄物として廃棄しているのが現状であり、これらの廃棄段ボールはごみ回収、環境、資源保護といった面で大きな問題となっており、また、工場や配送センターにおいては、収納物を個別に段ボールで梱包する必要があり、また、搬送先では個別の収納物をそれぞれ段ボールの梱包から解梱する必要があり、手間がかかると共にコストも高くなるという問題がある。
【０００５】
【発明が解決しようとする課題】
本発明は上記の点に鑑みてなされたものであり、複数の収納物を同梱するに当たり、収納物同士が直接重複しないようにでき、また、収納物同士が直接重複しないように同梱するに当たり、収納作業、取り出し作業が簡単にできる搬送用梱包装置を提供することを課題とするものである。
【０００６】
【課題を解決するための手段】
上記課題を解決するために本発明に係る搬送用梱包装置は、底枠１の少なくとも一対の辺に沿って側枠２を立設し、縦枠１１に複数の受け部材３を回動自在に取付け、一対の側枠２にそれぞれ上記縦枠１１を着脱自在に取付けて、回動自在な受け部材３を水平姿勢と側枠２に沿う略垂直姿勢とが選択できるように一対の側枠２の対向面に配置すると共に受け部材３を水平姿勢にした状態を保持するための水平姿勢保持手段４を設けて成ることを特徴とするものである。このような構成とすることで、収納物７を収納する際に受け部材３が邪魔になる場合には受け部材３を側枠２に沿う略垂直姿勢にして収納物７を収納し、当該受け部材３に収納物７を載置して収納する際には受け部材３を水平姿勢にして水平姿勢保持手段４で水平姿勢を保持した状態で当該受け部材３上に収納物７を載置することができ、これにより当該受け部材３の下方位置に収納する収納物７と当該受け部材３上に載置する収納物７とが直接当接しないように収納でき、このように収納物７同士が上下に直接重複するもののように収納物７を段ボールにより梱包して収納しなくてもよいものである。収納物７の取り出しに当たっては、当該受け部材３上に載置している収納物７を取り出した後に、受け部材３を略垂直姿勢にし、その後、下方の収納物７を取り出すことで、下方の収納物７上を擦りながら上段の収納物７を取り出すというようなことがないものである。また、縦枠１１に複数の受け部材３を取付け、該縦枠１１を側枠２に対して着脱自在としてあるので、受け部材３の無い搬送用梱包装置Ａにも簡単に縦枠１１を取付けることで受け部材３付きの搬送用梱包装置Ａとすることができるものであり、また、受け部材３を必要としない場合には縦枠１１を側枠２から外すことで、受け部材３無しの搬送用梱包装置Ａとすることができるものであり、また、収納物７の種類、大きさ等に応じて最適の受け部材３を備えた縦枠１１を選んで側枠２ａに取付けることで、収納物７の種類や大きさに応じた最適の収納ができるものである。
【００１６】
【発明の実施の形態】
以下、本発明を添付図面に示す実施形態に基づいて説明する。
【００１７】
搬送用梱包装置Ａは底枠１の少なくとも一対の辺に沿って側枠２を立設して主体を構成してある。添付図面に示す実施形態では平面視矩形状をした底枠１の４辺に側枠２を立設して搬送用梱包装置Ａの主体を構成してある。
【００１８】
２対の側枠２のうち一対の側枠２ａは底枠１に対して起倒自在に取付けてあり、他の一対の側枠２ｂは底枠１又は上記一対の側枠２ａに対して取り外し自在となっている。
【００１９】
一対の側枠２ａはそれぞれ両側の支柱１２の上部間及び下部間に上横枠１３、下横枠１４を架設一体化して枠組みし、この枠組みした部分に囲まれた部分に網１５を張設して構成してあり、両側の支柱１２の下端部の対向する側面部には軸挿入孔が設けてあると共に該対向する側面部の軸挿入孔のやや上方位置に係合突起１７が突設してあり、また、支柱１２の上端部の他の対向する側面部にはピン嵌め込み孔１８が設けてあり、更に、この支柱１２の他の対向する側面部のうちの片側の側面部の上下方向の略中間部分には２つの突片１９が横方向に隙間を介して並べて突設してあり、この２つの突片１９は更に上下にずれている。
【００２０】
他の一対の側枠２ｂは上枠体２ｂ１と下枠体２ｂ２とを枢支部２０により折り畳み自在に連結して構成してあり、図９に示すように、上枠体２ｂ１の両側の上端部にロックピン２１を横方向に突出自在に取付けてある。
【００２１】
底枠１の上面部の４隅には水平断面コ字状をした側枠支持部２２が立設してあり、図８に示すように、側枠支持部２２の両側片２２ａには縦長孔２２ｂが設けてあり、更に両側片２２ａの上端縁部には係合凹所２２ｃが設けてある。また、水平断面コ字状をした側枠支持部２２の両側片２２ａのうち外側の側片２２ａから側枠支持片２２ｄが延設してある。底枠１の上面部には水平断面コ字状をした側枠支持部２２の中央片２２ｅに対向してコ字状の入口に下突部２３が突設してあり、この下突部２３と側枠支持片２２ｄとの間に図９に示すように側枠嵌め込み隙間２４が形成してある。また、底枠１にはフォークリフトのフォークを差し込み自在としたフォーク挿入孔部３７が設けてある。なお、底枠１には必要に応じてキャスタを取付けてもよい。
【００２２】
一方の一対の側枠２ａは両側の支柱１２の下端部を水平断面コ字状をした側枠支持部２２内に嵌め込んであって、軸２５により縦長孔２２ｂ、軸挿入孔を軸支することで、支柱１２を縦長孔２２ｂに沿って上下に移動自在としてあり、支柱１２を起立させた状態では軸２５が縦長孔２２ｂの下端部に位置し、水平断面コ字状をした側枠支持部２２内にはめ込まれた支柱１２の側面の下端が下突部２３に当たり、また、係合突起１７が係合凹所２２に係合し、これにより支柱１２が倒れないように保持される。この状態で支柱１２を上方に持ち上げ、軸２５が縦長孔２２ｂの上端部に位置すると支柱１２の側面の下端が下突部２３よりも上方に位置し、また、係合突起１７が係合凹所２２から外れて上方に位置するので、支柱１２を軸２５を中心に回動して倒し（つまり側枠２ａを倒し）て底枠１上に重ねることができるようになっている。
【００２３】
他方の一対の側枠２ｂは、下枠体２ｂ２の両側端部をそれぞれ２つの突片１９間に嵌め込み、下端部を図９（ａ）に示すように側枠嵌め込み隙間２４に嵌め込むことで起立させ、更に、図９（ｂ）に示すように上枠体２ｂ１を起立させてロックピン２１を突出させてピン嵌め込み孔１８に嵌め込むことで一対の側枠２ａと底枠１に他方の一対の側枠２ａを取り外し自在に取付けるようになっている。
【００２４】
底枠１に起倒自在に取付けられる一対の側枠２ａの対向面には受け部材３が取付けられる。ここで、本発明においては、受け部材３は枠図１、図２に示すように縦枠１１に回動自在に取付けてあり、この受け部材３を取付けた縦枠１１を側枠２ａに着脱自在に取付けてある。
【００２５】
縦枠１１は図３に示すように矩形状をしており、上下方向に複数個の受け部材３を回動自在に取付けてある。この縦枠１１の上部の後面側には下方に開口した断面コ字状の上嵌め込み部２６が設けてあり、縦枠１１の下部後面側には下方に開口した断面コ字状の下嵌め込み部２７が設けてあり、上嵌め込み部２６乃至下嵌め込み部２７には止めねじ３５が螺合してある。
【００２６】
受け部材３は図３に示すようなもので、受け部材３を水平姿勢にした状態で、受け板部２８の後部の両端部に軸受け片２９を上方に向けて突設してあり、この軸受け片２９の後部は受け板部２８の後端よりも後方に向けて突出している。軸受け片２９には前後方向に向けて長孔３０が設けてあり、長孔３０の後部は受け板部２８の後端部よりも後方側に位置し且つ長孔３０の前部は受け板部２８の後端部よりも前方側に位置している。受け板部２８の両端部には更に上方に向けて巾方向ずれ防止片３１が突設してあり、更に、受け板部２８の巾方向の中間部の後部側寄りには長手方向ずれ防止片３２が突設してあり、この長手方向ずれ防止片３２は上端側程後方となるように傾斜している。そして、上記巾方向ずれ防止片３１、長手方向ずれ防止片３２が受け部材３の受け板部２８上に収納物７を載置した際に収納物７のずれを防止して位置を保持する位置保持部８を構成している。受け板部２８と巾方向ずれ防止片３１、長手方向ずれ防止片３２にはそれぞれ収納物７が当たる部位にゴムのような緩衝材９が取着してある。また、巾方向ずれ防止片３１にはバンド挿入孔３３が設けてある。受け板部２８の後端部には軸受け片２９と反対側（つまり下方）に向けて当たり部３４を垂設してある。この当たり部３４は長孔３０の長手方向の略中間位置の下方に位置している。当たり部３４には補強部３４ａを設けてある。両バンド挿入孔３３には図５に示すように１本のゴム製の帯状のバンド１０を通し、帯状のバンド１０の両端部同士を面状ファスナのような接続手段により接続して２重にしてある。
【００２７】
縦枠１１の両側の外面側には軸固定部が設けてあり、受け部材３の後端部の両端の軸受け片２９の内面をそれぞれ軸固定部に当て、この状態で長孔３０より軸となるねじ具３６を挿入して軸固定部にねじ込み固着することで、枠体１１に受け部材３を軸となるねじ具３６を中心に回動自在に取付けてある。このようにして枠体１１に上下方向に複数段に受け部材３を回動自在に取付けてある。
【００２８】
受け部材３を水平姿勢に倒した状態で、軸となるねじ具３６部分に横向きとなった長孔３０の後端が位置し且つ当たり部３４が縦枠１１の側面に当接して受け部材３が水平姿勢に保持される。したがって、本実施形態においては上記ねじ具３６、長孔３０、当たり部３４、縦枠１１等により受け部材３を水平姿勢にした状態を保持するための水平姿勢保持手段４を構成してある。
【００２９】
受け部材３を上記のような水平姿勢から略垂直姿勢にするに当たっては、軸となるねじ具３６に長孔３０の後端を位置させたままの状態で受け部材３を上方に持ち上げながら略９０°回動して略垂直姿勢にし、その後、受け部材３を垂直姿勢のまま下降させることで長孔３０をねじ具３６に沿って下方に移動させ、長孔３０の前端をねじ具３６に当接させる。この状態ではねじ具３６位置よりも下方において当たり部３４の突出基部である受け板部２８の後端が縦枠１１の側面に当たり、この略垂直姿勢において受け部材３が回動するのが防止されて略垂直姿勢が保持される。したがって本実施形態においては、長孔３０、ねじ具３６、当たり部３４、縦枠１１等により略垂直姿勢保持手段５が構成してある。
【００３０】
上記のような構成の受け部材３を取付けた縦枠１１は、上嵌め込み部２６、下嵌め込み部２７をそれぞれ側枠２ａの上横枠１３、下横枠１４に上方より嵌め込み、止めねじ３５を螺進させて上横枠１３又は下横枠１４の下面直下に突出させることで、上横枠１３又は下横枠１４に対して縦枠１１が上方に抜けないように取付けるものである。このようにして対向する一対の側枠２の内面側（対向面側）に巾方向に複数列縦枠１１を取付けることで、対向する一対の側枠２にはそれぞれ上下方向に複数段に且つ巾方向に複数列対向して受け部材３が取付けられるものである。
【００３１】
しかして上記のような構成の搬送用梱包装置Ａに収納物を収納して搬送するには以下のようにして行うものである。
【００３２】
受け部材３を取付けた一対の側枠２ａを前述のようにして底枠１に対して起立させ、他の一対の側枠２ｂは２つとも取り外しておくか、または一つの側枠２ｂは前述のようにして底枠１及び側枠２ａに起立姿勢で取付けると共に他の一つの側枠２ｂのみ取り外した状態とし、この状態で、各両側で一対となった受け部材３にそれぞれ収納物７の両端部を独立して載設支持させるものである。この時収納物７を載設する際に下側、奥側に位置する受け部材３から、上側、手前側に位置する受け部材３にかけて順に収納物７を載設支持していくものであり、下側、奥側に位置する受け部材３に収納物７を載設する際にはこれよりも上側、手前側の受け部材３は起立させて側枠２に沿う略垂直姿勢にしておくことで他の受け部材３に邪魔されることなく、水平に倒した下側、奥側の受け部材３に収納物７を支持させることができるものである。上記のように受け部材３に収納物７の端部を載置する際にゴム製のバンド１０を引っ張って伸ばした状態でバンド１０内に収納物７の端部を入れ、載置後にバンド１０を離してバンド１０により受け部材３に載置した収納物７を弾性的に保持するものである。ここで、収納物７は巾方向ずれ防止片３１、長手方向ずれ防止片３２によりそれぞれ巾方向、長手方向のずれ防止を行うものである。
【００３３】
このように、下側、奥側から順に上側、手前側にかけてそれぞれ複数の受け部材３に独立して収納物７を載置し、収納が完了すると、取り外していた側枠２ｂを前述のようにして底枠１、側枠２ａに取付け、この状態で、現場に搬送し、現場において、側枠２ｂを取り外し、上記と逆の順序、つまり、上側、手前側の受け部材３に収納した収納物７から、下側、奥側の受け部材３にかけて順に収納物を取り出していくものであり、この際、収納物７を取り出した受け部材３は起立させて側枠２に沿う略垂直姿勢にしておくことで上側、奥側の受け部材３に邪魔されることなく下側、奥側の受け部材３に支持した収納物７の取り出しが容易に行えるものである。
【００３４】
ここで、一つの側枠２ｂのみを取り外した例で説明すると、例えば、受け部材３が奧、中、手前側に３段ずつ３列ある場合には、奧の下段→中段→上段の順で収納物７を収納し、次に、中央の下段→中段→上段の順に収納物７を収納し、次に手前側の下段、→中段→上段の順で収納物を収納するものであり、取り出す際には上記と逆の順序で取り出すものである。
【００３５】
上記のようにして各受け部材３にそれぞれ独立して収納物７を収納するので、収納物７同士を直接積み重ねて収納する必要がなく、このため、収納物７を従来のように段ボールにより梱包した状態で収納する必要がないものであり、したがって、梱包材としての段ボールを使わないので、ごみの発生を防止し、省資源が図れるものである。
【００３６】
搬送用梱包装置Ａを使用しない場合には、受け部材３を設けていない他の一対の側枠２ｂを取り外し、受け部材３を側枠２ａに沿うように略垂直姿勢にした状態で該側枠２ａを倒して底枠１上面側に重ね、その後、取り外した方の側板２ｂを２つ折りに折り畳んだ状態で図  のように倒した側板２ａの上に重ねて嵩の低いコンパクトな状態とし、この状態で保管したり、搬送したりできるものである。
【００３７】
ところで、縦枠１１は、収納物７の種類、大きさ等に対応して受け部材３の大きさや受け部材３の取付け数や取付け位置の異なるものを複数種類用意しておくものであり、収納物７の種類、大きさ等に応じて最適の受け部材３を備えた縦枠１１を選んで側枠２ａに取付けるものであり、これにより多種類の収納物７を収納物７同士が直接重ならないようにして収納することができるものである。
【００３８】
また、縦枠１１を側枠２ａから取り外すと、受け部材３の無い状態で搬送用梱包装置Ａに従来と同様にして収納物７を収納することも可能となるものである。
【００３９】
なお、上記実施形態では矩形状をした底枠１の４辺に沿ってそれぞれ側枠２を立設した例で説明したが、底枠１の対向する一対の辺にのみ沿って受け部材３を設けた側枠２を立設して他の一対の辺に沿った側枠２は設けないものであってもよいものである。
【００４０】
また、図示を省略しているが、搬送用梱包装置Ａの上開口部には収納した収納物７の保護のために着脱自在に蓋枠を取付けるようにしてもよいものである。
【００４１】
【発明の効果】
上記のように本発明の請求項１記載の発明にあっては、底枠の少なくとも一対の辺に沿って側枠を立設し、縦枠に複数の受け部材を回動自在に取付け、一対の側枠にそれぞれ上記縦枠を着脱自在に取付けて、回動自在な受け部材を水平姿勢と側枠に沿う略垂直姿勢とが選択できるように一対の側枠の対向面に配置すると共に受け部材を水平姿勢にした状態を保持するための水平姿勢保持手段を設けたので、収納物を収納する際に受け部材が邪魔になる場合には受け部材を側枠に沿う略垂直姿勢にして収納物を収納し、当該受け部材に収納物を載置して収納する際には受け部材を水平姿勢にして水平姿勢保持手段で水平姿勢を保持した状態で当該受け部材上に収納物を載置することができ、これにより当該受け部材の下方位置に収納する収納物と当該受け部材上に載置する収納物とが直接当接しないように収納できるものであり、また、収納物の取り出しに当たっては、当該受け部材上に載置している収納物を取り出した後に、受け部材を略垂直姿勢にし、その後、下方の収納物を取り出すことで、下方の収納物上を擦りながら上段の収納物を取り出すというようなことがないものであって、複数の収納物を収納物同士が簡単な構成で重複しないように収納できるとともに収納、取り出し作業が容易に行えるものである。しかも、上記のように収納物同士が上下に直接重複しないので、収納物同士が上下に直接重複するもののように収納物を段ボールにより梱包して収納しなくてもよく、梱包資材としての使い捨ての段ボールの使用がないのでごみ回収、環境、資源保護の面で有益であり、また、収納物を個別に段ボールで梱包・解梱する手間が必要でないのでコスト低減が図れるものである。しかも、縦枠に複数の受け部材を取付け、該縦枠を側枠に対して着脱自在としてあるので、受け部材の無い搬送用梱包装置にも簡単に縦枠を取付けることで受け部材付きの搬送用梱包装置とすることができるものであり、また、受け部材を必要としない場合には縦枠を側枠から外すことで、受け部材無しの搬送用梱包装置とすることができるものである。
【図面の簡単な説明】
【図１】本発明の搬送用梱包装置の一部の側枠を取り外した状態の斜視図である。
【図２】同上の搬送用梱包装置に設けた受け部材を水平姿勢にした状態の側面図である。
【図３】同上に用いる受け部材を設けた縦枠の斜視図である。
【図４】（ａ）は同上の受け部材を水平姿勢に保持している状態を説明する説明図であり、（ｂ）は水平姿勢から受け部材を回動して略垂直姿勢にした状態の説明図であり、（ｃ）は略垂直姿勢にして下方に落とし込むことで略垂直姿勢を保持している状態の説明図である。
【図５】同上の受け部材にバンドを取付けた例を示す説明図である。
【図６】同上の下段の受け部材に収納物を載置するため又は下段の受け部材に載置した収納物を取り出すために上に位置する受け部材を略垂直姿勢にした状態の説明図である。
【図７】同上の上下各段の受け部材に収納物を載置した状態の説明図である。
【図８】一方の側枠を底枠に対して取付けている部分を示し、（ａ）は一方の側枠を起立させた状態の斜視図であり、（ｂ）は倒した状態の斜視図である。
【図９】（ａ）は他方の側枠の底板への立設部分を示す平面断面図であり、（ｂ）は他方の側枠の一方の側枠への取付け部分の平面断面図である。
【符号の説明】
１  底枠
２  側枠
３  受け部材
４  水平姿勢保持手段
５  略垂直姿勢保持手段
６  梱包装置本体
７  収納物
８  位置保持部
９  緩衝材
１０  バンド
【図１】
0004071513.tif 000002
【図２】
0004071513.tif 000003
【図３】
0004071513.tif 000004
【図４】
0004071513.tif 000005
【図５】
0004071513.tif 000006
【図６】
0004071513.tif 000007
【図７】
0004071513.tif 000008
【図８】
0004071513.tif 000009
【図９】
0004071513.tif 000010